(57)【特許請求の範囲】
【請求項１】
筐体と、
前記筐体に内包される回路基板と、
前記回路基板に形成されるアンテナと、
を有し、
前記回路基板には、所定の位置に所定数のスリットが形成され、当該所定数のスリットによって前記回路基板の一部が支持体として形成され、当該支持体には高周波電力を供給するための給電点が配設され、
前記アンテナは、誘電体材料で形成された基体と、前記基体の側面部に形成された放射電極パターンと、当該放射電極パターンに接続された給電端子と、を有するアンテナエレメントを有し、
前記基体に形成された孔部に前記支持体が挿入され、前記給電点と前記給電端子とが電気的に接続された状態で、前記筺体に前記回路基板が内包されたときには、前記アンテナエレメントは、前記支持体から抜ける方向における移動が前記筺体の壁面により規制されることを特徴とする携帯端末。
【請求項２】
前記支持体には、さらに、短絡点が配設され、
前記アンテナは、さらに、前記放射電極パターンに接続された短絡端子と、を有するアンテナエレメントを有し、
前記基体に形成された２つの孔部に、前記支持体が挿入され、前記短絡点と前記短絡端子とが電気的に接続されて構成されることを特徴とする請求項１に記載の携帯端末。
【請求項３】
前記回路基板の略中心線を挟んで対称である位置に、１対の前記支持体が前記所定数のスリットにより形成され、
当該支持体の中心部に前記給電点が配設されることを特徴とする請求項１または２に記載の携帯端末。
【請求項４】
前記給電点は、前記支持体において、前記回路基板の表面と裏面の両方に２つ配設され、
前記アンテナエレメントは、前記基体の前記回路基板に平行な２つの側面にそれぞれ異なる前記放射電極パターンが形成されており、
前記２つの給電点のそれぞれは、異なる前記放射電極パターンのそれぞれに接続された前記給電端子に接続されることを特徴とする請求項１〜３のいずれか一項に記載の携帯端末。
【請求項５】
前記アンテナエレメントは、前記基体の前記回路基板に平行な２つの側面にそれぞれ異なる放射電極パターンが形成されており、
前記孔部は、前記基体の前記回路基板に平行な２つの側面のいずれか片方に偏って形成され、
前記孔部が偏っていない方の面に形成された前記放射電極パターンは、前記給電端子を有さないことを特徴とする請求項１〜３のいずれか一項に記載の携帯端末。
【発明の詳細な説明】
【技術分野】
【０００１】
本発明は、内蔵アンテナを有する携帯端末及びそのアンテナ構造に関する。
【背景技術】
【０００２】
携帯電話等の携帯端末においては、アンテナが内蔵される構造が一般的になってきている。内蔵アンテナは、例えば特許文献１に示すように、回路基板に直接取り付けられる。
【０００３】
特許文献１には、アンテナエレメントが、金属板によって形成され、金属部の端部には給電点及びアース接点が形成された金属部２と、絶縁体または誘電体で形成され、金属部を一定の形状で正確に保持し、固着して両者を一体化する支持体からなり、支持体には、回路基板の厚さと同じか、あるいはやや広めのスリットが設けられており、スリットに回路基板を挿入することによりアンテナエレメントと回路基板を固着し、給電点及びアース接点を、回路基板の給電端子及びアース端子に接続して、変形逆Ｆアンテナを構成する逆Ｆアンテナ構造が開示されている。
【特許文献１】特開平１１−３５５０３４号公報
【発明の開示】
【発明が解決しようとする課題】
【０００４】
しかし、特許文献１に開示された逆Ｆアンテナ構造では、アンテナ特性の確保と、アンテナの保持とを両立させることが困難であった。
【０００５】
すなわち、特許文献１に開示された逆Ｆアンテナ構造では、例えば携帯端末が落下し、衝撃を受けた場合に、アンテナ構造が所定の位置からずれてしまい、基板に設けられた給電点とアンテナの給電端子との接触が悪化してアンテナが動作しなくなるような事態が生じうる。
【０００６】
本発明は、このような事態を回避するために、衝撃によってもアンテナと回路基板の位置ずれが生じず、アンテナへの給電が断たれない携帯端末及びアンテナ構造を提供することを目的とする。
【課題を解決するための手段】
【０００７】
本発明は、筐体と、筐体に内包される回路基板と、回路基板に形成されるアンテナと、を有し、回路基板には、所定の位置に所定数のスリットが形成され、当該所定数のスリットによって回路基板の一部が支持体として形成され、当該支持体には高周波電力を供給するための給電点が配設され、アンテナは、誘電体材料で形成された基体と、基体の側面部に形成された放射電極パターンと、当該放射電極パターンに接続された給電端子と、を有するアンテナエレメントを有し、基体に形成された孔部に前記支持体が挿入され、給電点と給電端子とが電気的に接続された状態で、筺体に回路基板が内包されたときには、アンテナエレメントは、支持体から抜ける方向における移動が筺体の壁面により規制されることを特徴とする。
【０００８】
好適には、前記支持体には、さらに、短絡点が配設され、前記アンテナは、さらに、前記放射電極パターンに接続された短絡端子と、を有するアンテナエレメントを有し、前記基体に形成された２つの孔部に、前記支持体が挿入され、前記短絡点と前記短絡端子とが電気的に接続されて構成される。
【０００９】
好適には、前記回路基板の略中心線を挟んで対称である位置に、１対の前記支持体が前記所定数のスリットにより形成され、当該支持体の中心部に前記給電点が配設される。
【００１０】
好適には、前記給電点は、前記支持体において、前記回路基板の表面と裏面の両方に２つ配設され、前記アンテナエレメントは、前記基体の前記回路基板に平行な２つの側面にそれぞれ異なる前記放射電極パターンが形成されており、前記２つの給電点のそれぞれは、異なる前記放射電極パターンのそれぞれに接続された前記給電端子に接続される。
【００１１】
好適には、前記アンテナエレメントは、前記基体の前記回路基板に平行な２つの側面にそれぞれ異なる放射電極パターンが形成されており、前記孔部は、前記基体の前記回路基板に平行な２つの側面のいずれか片方に偏って形成され、前記孔部が偏っていない方の面に形成された前記放射電極パターンは、前記給電端子を有さない。
【発明の効果】
【００１４】
本発明によれば、衝撃によってもアンテナと回路基板の位置ずれが生じず、アンテナへの給電が断たれない携帯端末及びアンテナ構造を提供することができる。
【発明を実施するための最良の形態】
【００１５】
以下、本発明の実施形態について説明する。
【００１６】
以下説明する携帯端末１００は、本発明の携帯端末の一例であり、例えば携帯電話を想定している。
【００１７】
次に、携帯端末１００の構成の一例について説明する。
【００１８】
図１は、携帯端末１００の構成の一例を示す図である。
【００１９】
図１に示すように、携帯端末１００は、アンテナ１、通信部２、音声処理部３、スピーカ４、マイク５、バッテリ６、制御部７を有する。
【００２０】
アンテナ１は、例えば図１に図示しない基地局と無線通信を行うためのアンテナである。
【００２１】
通信部２は、アンテナ１を介した無線通信を実行する。無線通信は、例えば携帯端末１００のユーザの操作に応じた音声通話やデータ通信のための通信である。また、通信部２はアンテナ１に高周波電力を供給する。
【００２２】
音声処理部３は、スピーカ４から出力される音声信号やマイク５において入力される音声信号の処理を行う。すなわち、マイク５から入力される音声を増幅し、アナログ／デジタル変換を行い、更に符号化等の信号処理を施し、デジタルの音声データに変換して制御部７に出力する。また、制御部７から供給される音声データに復号化、デジタル／アナログ変換、増幅等の信号処理を施し、アナログの音声信号に変換してスピーカ４に出力する。
【００２３】
バッテリ６は、携帯端末１００の各部に電源を供給するための、例えばリチウムイオン２次電池等の蓄電池である。
【００２４】
制御部７は、携帯端末１００の各構成要素を統括的に制御する。すなわち、例えばユーザの操作に応じて通信部２に送受信処理を実行させたり、音声処理部３に音声データの符号化・復号化を行わせたり、音声データの再生を行わせたりする。
【００２５】
次に、携帯端末１００の外観の一例について説明する。
【００２６】
図２は、携帯端末１００の外観の一例を示す図である。
【００２７】
図２に示すように、携帯端末１００は、上部筐体１０１と下部筐体１０２とがヒンジ部１０３によって開閉可能に接続されている。
【００２８】
図２（ａ）は携帯端末１００の筐体が開かれた状態を、図２（ｂ）は携帯端末１００の筐体が閉じられた状態を示している。
【００２９】
図２（ａ）に示すように、上部筐体１０１にはスピーカ４が、下部筐体１０２にはマイク５が配置されている。
【００３０】
上部筐体１０１及び下部筐体１０２には、内部にそれぞれ回路基板８が内包される。
【００３１】
回路基板は、上述した携帯端末１００の各構成を実現するＩＣ（Ｉｎｔｅｇｒａｔｅｄ  Ｃｉｒｃｕｉｔ）等の電子部品が実装されたプリント基板等である。
【００３２】
図３に、一例として携帯端末１００の下部筐体１０２に回路基板８が内包される様子を示す。
【００３３】
図３は、下部筐体１０２の分解斜視図である。
【００３４】
下部筐体１０２は、図３に示すようにフロントケース１０２１とリアケース１０２２とが接合されて構成される。回路基板８は、フロントケース１０２１とリアケース１０２２との間に挟まれるように収められている。
【００３５】
また、図３に示すように、リアケース１０２２のさらに外側（下部筐体１０２から見た外側）には孔部１０２２２とバッテリリッド１０４が設けられており、バッテリ６を内包することができる。孔部１０２２２の端部には端子６１が設けられており、バッテリ６は端子６１に電気的に接続され、端子６１を通じて回路基板８に給電を行う。
【００３６】
図示は省略するが、上部筐体１０１も同様にフロントケースとリアケースとが結合されて構成され、回路基板８が内包される。上部筐体１０１内の回路基板８と下部筐体１０２内の回路基板８とは、例えばヒンジ部１０３内を通過するケーブル類によって電気的に接続されており、バッテリ６からの給電が端子６１及び下部筐体１０２内の回路基板８を介して上部筐体１０１内の回路基板８にも行われるように構成されている。
【００３７】
次に、本実施形態のアンテナ１について説明する。
【００３８】
本実施形態のアンテナ１は、回路基板８にアンテナエレメント９が配置されることにより構成される。
【００３９】
図４は、アンテナエレメント９について説明するための図である。
【００４０】
アンテナエレメント９は、基体９１と、放射電極パターン９２、給電端子９３、孔部９４を有する。
【００４１】
基体９１は、樹脂やセラミック等の誘電体・絶縁体である。
【００４２】
放射電極パターン９２は、例えばアルミニウム、銅、ニッケル、銀、パラジウム、白金、金等の金属により形成される電極パターンである。放射電極パターン９２は、印刷法や、蒸着法、スパッタリング法等の薄膜形成法や、金属箔の貼り合わせ、あるいはメッキ等によって、所望のパターン形状の導体層が基体９１の所定の側面に形成されたものである。すなわち、全ての側面に形成されてもよいし、いずれかの側面のみに形成されてもよい。
【００４３】
給電端子９３は、放射電極パターン９２に接続された電力供給用の端子であり、回路基板８から供給された高周波電力を受けて放射電極パターンに電力を供給するための端子である。なお、図４においては給電端子９３は孔部９４の下側の壁面に形成されているが、本発明はこれには限定されず、放射電極パターン９２と電気的に接続されていれば、例えば他の壁面に形成されても良いし、孔部９４の壁面ではなく、基体９１のいずれかの面や、放射電極パターン９２上に形成されていてもよい。
【００４４】
孔部９４は、後述する回路基板８の支持体８２が挿入され、支持体８２によって支持されるための孔部である。給電端子９３は、孔部９４の孔の中に配設されている。
【００４５】
アンテナエレメント９は、基体９１の表面に形成された放射電極パターン９２に、給電端子９３から高周波電力が供給されてアンテナとして動作する。
【００４６】
本実施形態のアンテナ１は、アンテナエレメント９の回路基板８の位置関係、接続関係、形状にその特徴を有する。以下この特徴について説明する。
（第１の例）
図５は、本実施形態のアンテナ１の第１の例、アンテナ１−１を示した図である。
【００４７】
図５（ａ）は、アンテナ１−１を構成する回路基板８−１の形状とアンテナエレメント９−１の形状を示した図である。
【００４８】
図５（ａ）に示すように、回路基板８−１の端部にスリット８１Ａ−１及び８１Ｂ−１が設けられており、スリット８１Ａ−１及び８１Ｂ−１により支持体８２Ａ−１及び８２Ｂ−１が形成される。支持体８２Ａ−１及び８２Ｂ−１はアンテナエレメント９−１を保持するための支持体であり、その端部に給電点１０Ａ−１、１０Ｂ−１が配置されている。給電点１０は、給電端子６１に接続され、通信部２からの高周波電力をアンテナエレメント９に供給するための端子部である。
【００４９】
アンテナエレメント９−１は、支持体８２Ａ−１及び８２Ｂ−１のそれぞれに保持されるアンテナエレメント９Ａ−１と９Ｂ−１とに分かれている。アンテナエレメント９Ａ−１及び９Ｂ−１は、ほぼ直方体形状をしており、支持体８２Ａ−１及び８２Ｂ−１が挿入されるための孔部９４Ａ−１及び９４Ｂ−１が形成されている。
【００５０】
図５（ｂ）は、図５（ａ）に示した支持体８２Ａ−１及び８２Ｂ−１がアンテナエレメント９Ａ−１及び９Ｂ−１を支持している様子を示す図である。図５（ｂ）に示すように、支持体８２Ａ−１がアンテナエレメント９Ａ−１の孔部９４Ａ−１に、支持体８２Ｂ−１がアンテナエレメント９Ｂ−１の孔部９４Ｂ−１に、それぞれ挿入され、それぞれのアンテナエレメントを保持している。
【００５１】
図５（ｃ）は、アンテナ１が形成された回路基板８が、下部筐体１０２のリアケース１０２２に収められた様子を示す図である。図５（ｃ）に示すように、アンテナエレメント９Ａ−１及び９Ｂ−１が支持体８２Ａ−１及び８２Ｂ−１から抜ける方向には、リアケース１０２２の壁面が存在するため、例えば携帯端末１００に落下の衝撃等が加わっても、アンテナエレメント９Ａ−１及び９Ｂ−１はリアケース１０２２の壁面に押さえられて動くことができないため、それぞれのエレメントの給電端子９３Ａ−１、９３Ｂ−１が回路基板８−１の給電点１０Ａ−１、１０Ｂ−１からずれてしまい、アンテナ１−１が動作できなくなる事態を回避することが可能になる。
【００５２】
なお、図５（ｃ）に示した図では下部筐体１０２について示されているが、上部筐体１０１内の回路基板８に形成されたアンテナ１についても、同様の効果が得られる。
【００５３】
なお、本実施形態のアンテナ１は、図５に示した回路基板８とアンテナエレメント９の位置関係、接続関係、形状のみではなく、様々な変形が可能である。
【００５４】
以下アンテナ１の変形例について説明する。
（第２の例）
図６は、アンテナ１の第２の例、アンテナ１−２を示した図である。
【００５５】
図６に示すアンテナ１−２では、回路基板８−２の端部に一本のスリット８１−２が設けられ、スリット８１−２により支持体８２−２が形成される。支持体８２−２のほぼ中央部には給電点１０−２が配置され、アンテナエレメント９−２の孔部９４−２内に配置された給電端子９３−２と接続されてアンテナとして動作する。アンテナエレメント９−２の孔部９４−２に支持体８２−２が挿入され、支持体８２−２によってアンテナエレメント９−２が保持される。
（第３の例）
図７は、アンテナ１の第３の例、アンテナ１−３を示した図である。
【００５６】
図７に示すアンテナ１−３では、回路基板８−３の中央部付近にスリット８１Ａ−３、８１Ｂ−３、８１Ｃ−３、８１Ｄ−３が形成され、これらのスリットによって支持体８２Ａ−３及び８２Ｂ−３が形成される。支持体８２Ａ−３及び８２Ｂ−３には給電点１０Ａ−３および１０Ｂ−３が配置され、アンテナエレメント９Ａ−３及び９Ｂ−３の孔部９４Ａ−３及び９４Ｂ−３内に配置された給電端子９３Ａ−３及び９３Ｂ−３と接続されてアンテナとして動作する。アンテナエレメント９Ａ−３、９Ｂ−３の孔部９４Ａ−３、９４Ｂ−３に支持体８２Ａ−３、８２Ｂ−３が挿入され、支持体８２Ａ−３、８２Ｂ−３によってアンテナエレメント９Ａ−３、９Ｂ−３が保持される。
（第４の例）
図８は、アンテナ１の第４の例、アンテナ１−４を示した図である。
【００５７】
図８に示すアンテナ１−４では、回路基板８−４の端部にスリット８１Ａ−４、８１Ｂ−４が形成され、これらのスリットによって支持体８２Ａ−４及び８２Ｂ−４が形成される。
【００５８】
支持体８２Ａ−４及び８２Ｂ−４の中央部には１つの給電点１０−４が配置される。
【００５９】
アンテナエレメント９Ａ−４、９Ｂ−４の孔部９４Ａ−４、９４Ｂ−４に支持体８２Ａ−４及び８２Ｂ−４が挿入され、支持体８２Ａ−４及び８２Ｂ−４によってアンテナエレメント９Ａ−４、９Ｂ−４が保持される。
【００６０】
アンテナエレメント９Ａ−４と９Ｂ−４との中間の位置に給電端子９３−４が配置され、給電端子９３−４は、給電線９５−４により、アンテナエレメント９Ａ−４及び９Ｂ−４の放射電極パターン９２Ａ−４及び９２Ｂ−４に接続される。
【００６１】
これらの構成により、アンテナ１−４はダイポールアンテナとして動作する。
（第５の例）
図９は、アンテナ１の第５の例、アンテナ１−５を示した図である。
【００６２】
図９に示すアンテナ１−５では、回路基板８−５の端部に一本のスリット８１−５が設けられ、スリット８１−５により支持体８２−５が形成される。
【００６３】
アンテナエレメント９−５には、孔部９４−５が形成され支持体８２−５が挿入されることで保持される。
【００６４】
アンテナエレメント９−５には、支持体８２−５に保持された状態で回路基板８−５に平行な基体９１−５の２つの側面に異なる放射電極パターン９２Ａ−５と９２Ｂ−５が形成される。また、それぞれの放射電極パターンに接続される給電端子９３Ａ−５と９３Ｂ−５が孔部９４−５の例えば異なる壁面に形成される。
【００６５】
支持体８２−５には、給電点１０Ａ−５及び給電点１０Ｂ−５が、支持体８２−５の中央部付近、回路基板８−５の表面側と裏面側とに設けられている。給電端子９３Ａ−５と給電点１０Ａ−５、給電端子９３Ｂ−５と給電点１０Ｂ−５とが互いに接続されている。
【００６６】
アンテナ１−５の構成により、放射電極パターン９２Ａ−５と９２Ｂ−５が回路基板８−５の両面に配置されることになるため、アンテナ１−５の放射特性が回路基板８−５の片面に偏る事態を回避することができる。したがって、携帯端末１００が例えばユーザの手に持たれたり、耳に当てられたりすることによる影響を受けにくく、アンテナ１−５は安定した動作を行うことができる。
（第６の例）
図１０は、アンテナ１の第６の例、アンテナ１−６を示した図である。
【００６７】
図１０に示すアンテナ１−６では、回路基板８−６の端部に一本のスリット８１−６が設けられ、スリット８１−６により支持体８２−６が形成される。
【００６８】
アンテナエレメント９−６には、孔部９４−６が形成され支持体８２−６が挿入されることで保持される。孔部９４−６は、図１０に示すようにアンテナエレメント９−６の中心部よりも、回路基板８−６に平行ないずれかの側面に偏った位置に設けられている。そして、孔部９４−６内に給電端子９３−６が配設され、回路基板８−６の支持体８２−６のほぼ中央部に設けられた給電点１０−６と接続される。
【００６９】
アンテナエレメント９−６の回路基板８−６に平行な側面の１つ（孔部９４−６から近い方の面）には、給電端子９３−６と接続された放射電極パターン９２Ａ−６が形成され、放射電極パターン９２Ａ−６が形成された側面と対向する側面（孔部９４−６から遠い方の面）には給電端子９３−６と接続されない放射電極パターン９２Ｂ−６が形成される。すなわち、放射電極パターン９２Ａ−６が一次放射素子、放射電極パターン９２Ｂ−６が二次放射素子（無給電素子）として動作する。
【００７０】
従って、アンテナ１−６は、二次放射素子として動作する放射電極パターン９２Ｂ−６の方向に指向性を有する。アンテナエレメント９−６の孔部９４−６が放射電極パターン９２Ａ−６が配設された面に近い位置に偏って設けられているのは、指向性を強めるためである。
（第６の例）
図１０は、アンテナ１の第６の例、アンテナ１−６を示した図である。
【００７１】
図１０に示すアンテナ１−６では、回路基板８−６の端部に一本のスリット８１−６が設けられ、スリット８１−６により支持体８２−６が形成される。
【００７２】
アンテナエレメント９−６には、孔部９４−６が形成され支持体８２−６が挿入されることで保持される。孔部９４−６は、図１０に示すようにアンテナエレメント９−６の中心部よりも、回路基板８−６に平行ないずれかの側面に偏った位置に設けられている。そして、孔部９４−６内に給電端子９３−６が配設され、回路基板８−６の支持体８２−６のほぼ中央部に設けられた給電点１０−６と接続される。
【００７３】
アンテナエレメント９−６の回路基板８−６に平行な側面の１つ（孔部９４−６から近い方の面）には、給電端子９３−６と接続された放射電極パターン９２Ａ−６が形成され、放射電極パターン９２Ａ−６が形成された側面と対向する側面（孔部９４−６から遠い方の面）には給電端子９３−６と接続されない放射電極パターン９２Ｂ−６が形成される。すなわち、放射電極パターン９２Ａ−６が一次放射素子、放射電極パターン９２Ｂ−６（第７の例）
図１２は、アンテナ１０９（以下、逆Ｆアンテナともいう）の第６の例、図１２（Ａ）は逆Ｆアンテナ１０９と、回路基板８−７アンテナ１−６を示した図である。詳細は後で述べる。
【００７４】
図１２（Ｂ）アンテナ１０９を回路基板に実装したときの図でる。回路基板８―７に配設した給電点１０―７とアンテナ１０９に設けた給電端子１３（給電線）とを電気的に接続し、さらに、回路基板に配設した短絡点とアンテナに設けた短絡端子１２（短絡線）とを電気的に接続することで、逆Ｆアンテナ１０９が構成される。
【００７５】
逆Ｆアンテナでは、図１２（Ａ）の給電点１０―７と短絡点１１―７の位置が入れ替わっても、回路基板上での配線を対応させることができる。
なお回路基板８−７には、スリット（第１のスリット）８１−７、スリット（第２のスリット）８１−８、支持体（第１の支持体）５２−７、支持体（第２の支持体）５２−８を形成する。
基体９７には、２つの孔部、すなわち、孔部（第１の孔部）９８と孔部（第２の孔部）９９とを設ける。これにより、基板に実装（挿入）した際の、安定性がより改善する。
さらに、基体９７の側面には、放射電極パターン９６、短絡線（短絡端子）１２、給電線（給電端子）１３が形成されている。放射電極パターン９６の形成される面と、短絡端子１２および給電端子１３の形成される面は異なる。１０９…逆Ｆアンテナ（アンテナ）
図１２（Ａ）では、片側の面（紙面表側）について記載したが、もう一方の面（紙面裏側）の面にも、同時に逆Ｆアンテナを形成することもできる。さらには、回路基板の両端に逆Ｆアンテナを形成することもできる。
【００７６】
本発明のアンテナは、上述した７つの例に限定されず、各々の例が有する要素を組み合わせて構成することも可能である。例えば、第２の例と第３の例を組み合わせて、回路基板の中央部付近に１つのアンテナエレメントが設けられる構成等も考えられる。
【００７７】
以下上記説明したアンテナ１が、携帯端末１００の筐体内に組み込まれる具体例を説明する。
【００７８】
図１１は、携帯端末１００の上部筐体１０１及び下部筐体１０２内の回路基板８へのアンテナ１の配置例を示す図である。
【００７９】
図１１に示すように、下部筐体１０２の回路基板８の上端部及び下端部にそれぞれアンテナ１が形成されている。なお、図１１では、説明の簡単のために、アンテナ１の第１の例アンテナ１−１が形成された場合を示している。
【００８０】
下部筐体１０２の回路基板８の下端部に形成されたアンテナ１−１は、例えばマイク５の両側に形成される。すなわち、マイク５の両側にスリット８１Ａ−１及び８１Ｂ−１が形成され、アンテナエレメント９Ａ−１及び９Ｂ−１がスリット８１Ａ−１及び８１Ｂ−１により形成された支持体８２Ａ−１及び８２Ｂ−１によって保持される。
【００８１】
また、上部筐体１０１の回路基板８には、その上端部にアンテナ１−１が形成される。上部筐体１０１の回路基板８の上端部に形成されたアンテナ１−１は、例えばスピーカ４の両側に形成される。すなわち、スピーカ４の両側にスリット８１Ａ−１及び８１Ｂ−１が形成され、アンテナエレメント９Ａ−１及び９Ｂ−１がスリット８１Ａ−１及び８１Ｂ−１により形成された支持体８２Ａ−１及び８２Ｂ−１によって保持される。
【００８２】
このように配置することで、回路基板８上のアンテナ１の実装面積を節約することができる。
【００８３】
また、図１１に示すように、本実施形態の携帯端末１００では、３個のアンテナ１が回路基板８上に形成されるため、携帯端末１００全体の無線性能を１つのアンテナしか有していない場合と比較して大幅に向上させることができる。
【００８４】
また、本実施形態では、図１１に示した３つのアンテナ１を全て実装する必要はなく、いずれかのみを実装するようにしてもよい。従って、設計条件によってアンテナの数及び位置をある程度自由に変更することができ、設計の自由度が上昇する。さらに、アンテナ１が形成される位置は、図１１に示した３つの位置に限られることなく、上部筐体１０１及び下部筐体１０２内の回路基板８上の任意の位置に形成されればよい。
【００８５】
なお、図１１においては、一例としてアンテナ１の第１の例、アンテナ１−１が形成される場合について説明したが、勿論上述したアンテナ１の他の例を形成してもよい。この場合、スリットを回路基板８の両端部に設けない場合（アンテナ１の第２、第５、第６の例）では、スピーカ４やマイク５の両端部にスリット８１を設ける代わりに、スピーカ４やマイク５を回路基板８の左右端部に配置して、その位置から支持体８２が形成されるようにスリットを設ければよい。
【００８６】
以上説明したように、本実施形態の携帯端末１００によれば、アンテナ１を絶縁体で構成した基体９１と、基体９１の側面に形成された放射電極パターン９２と、放射電極パターン９２に接続された給電端子９３とを有するアンテナエレメント９が、回路基板８の端部或いは中央部にスリット８１によって形成され、給電端子９３に接続され給電を行う給電点１０が設けられた支持体８２によって保持されるので、支持体８２の表面と裏面の両方をアンテナエレメント９が覆う形となり、安定した無線性能を得ることができる。
【００８７】
また、筐体内に回路基板８及びアンテナ１が収められたとき、アンテナ１が抜ける方向に筐体のケースが存在するため、携帯端末１００に対して衝撃が与えられた場合でも、アンテナ１と回路基板８の配置がずれ、給電端子９３と給電点１０との接続が外れてアンテナ１が動作しなくなってしまう、という事態を回避することができる。
【００８８】
また、本実施形態の携帯端末１００では、上述した実施形態のアンテナ１の第２及び第３の例のように構成することにより、スリット８１を設ける位置によって支持体８２の位置及び形状を自由に変更することが可能である。これにより、アンテナ１の設計の自由度が高まる。
【００８９】
また、本実施形態の携帯端末１００では、上述した実施形態のアンテナ１の第４の例のように構成することにより、給電点１０の両側に支持体８２を形成することにより、アンテナ１をダイポールアンテナとすることも可能である。
【００９０】
また、本実施形態の携帯端末１００では、上述した実施形態のアンテナ１の第６の例のように構成することにより、アンテナ１に指向性を持たせることが可能である。これにより、アンテナ１の無線性能が上昇する。
【００９１】
本発明は上述した実施形態には限定されない。
【００９２】
すなわち、本発明の実施に際しては、本発明の技術的範囲またはその均等の範囲内において、上述した実施形態の構成要素に関し様々な変更、コンビネーション、サブコンビネーション、並びに代替を行ってもよい。
【００９３】
上述した実施形態では、本発明の携帯端末の一例として、折り畳み式の携帯電話について説明したが、本発明はこれには限定されない。例えば、折り畳み式でなくストレート形、スライド型等、他の形式の携帯端末装置であってもよい。また、携帯電話だけでなく、ＰＤＡ（Ｐｅｒｓｏｎａｌ  Ｄｉｇｉｔａｌ  Ａｓｓｉｓｔａｎｔ）や、アンテナを内包する他の携帯端末であってもよい。
【図面の簡単な説明】
【００９４】
【図１】図１は、本実施形態の携帯端末の構成の一例を示す図である。
【図２】図２は、携帯端末の外観の一例を示す図である。
【図３】図３は、携帯端末の下部筐体の分解斜視図である。
【図４】図４は、本実施形態のアンテナの各構成について説明するための図である。
【図５】図５は、本実施形態のアンテナの第１の例を示した図である。
【図６】図６は、本実施形態のアンテナの第２の例を示した図である。
【図７】図７は、本実施形態のアンテナの第３の例を示した図である。
【図８】図８は、本実施形態のアンテナの第４の例を示した図である。
【図９】図９は、本実施形態のアンテナの第５の例を示した図である。
【図１０】図１０は、本実施形態のアンテナの第６の例を示した図である。
【図１１】図１１は、携帯端末の上部筐体及び下部筐体内の回路基板へのアンテナの配置例を示す図である。
【図１２】図１２は、本実施形態のアンテナの第７の例を示した図である。
【符号の説明】
【００９５】
１００…携帯端末
１０１…上部筐体
１０２…下部筐体
１０３…ヒンジ部
１０４…バッテリリッド
１０２１…フロントケース
１０２２…リアケース
１０２２２…孔部
１…アンテナ
２…通信部
３…音声処理部
３１…端子
４…スピーカ
５…マイク
６…バッテリ
６１…給電端子
７…制御部
８…回路基板
８１…スリット
８２…支持体
９…アンテナエレメント
９１…基体
９２…放射電極パターン
９３…給電端子
９４…孔部
９５…給電線
１０…給電点
８−７…回路基板
１０−７…給電点
１１−７…短絡点
１２…短絡線（短絡端子）
１３…給電線（給電端子）
８１−７…回路基板
８１−７…スリット（第１のスリット）
８１−８…スリット（第２のスリット）
５２−７…支持体（第１の支持体）
５２−８…支持体（第２の支持体）
９６…放射電極パターン
９７…基体
９８…孔部（第１の孔部）
９９…孔部（第２の孔部）
１０９…逆Ｆアンテナ（アンテナ）
【図１】
0005094640.tif 000002
【図２】
0005094640.tif 000003
【図３】
0005094640.tif 000004
【図４】
0005094640.tif 000005
【図５】
0005094640.tif 000006
【図６】
0005094640.tif 000007
【図７】
0005094640.tif 000008
【図８】
0005094640.tif 000009
【図９】
0005094640.tif 000010
【図１０】
0005094640.tif 000011
【図１１】
0005094640.tif 000012
【図１２】
0005094640.tif 000013